(57)【要約】      （修正有）【課題】ハンドルが頂壁の外表面中央部に設置され、台体頂点部に充分な空間を有して、ファスナーの引き動かしが容易な中央ハンドルを有するキャリーバー付きスーツケースを提供する。【解決手段】キャリーバー付きスーツケースは、ケース体１０の底部にユニバーサルキャスター１１を設置し、ケース体は、台体１３及び蓋体１４を有する。台体の背面にはキャリーバー１５を設置し、蓋体と台体とは連接し、相互に開閉可能に設置される。台体は、底壁、頂壁１３２及び両側壁１３３を有する。底壁及び頂壁の各位置の幅は均等で、且つ頂壁の幅は底壁の幅より大きい。両側壁は左右に、底壁と頂壁との間に連接し、各側壁の幅は下から上へと徐々に大きくなり、且つ底壁、頂壁及び両側壁の外側端面は同一平面上に位置する。【選択図】図１
0003197777.tif 000002
【実用新案登録請求の範囲】
【請求項１】
中央ハンドルを有するキャリーバー付きスーツケースは、ケース体を有し、
前記ケース体の底部には、ユニバーサルキャスターを設置し、前記ケース体は、台体及び蓋体を有し、
前記台体の背面には、キャリーバーを設置し、前記蓋体と前記台体とは連接し、相互に開閉可能なように設置され、前記台体は、底壁、頂壁及び両側壁を有し、
前記底壁の各位置の幅は均等で、前記頂壁の各位置の幅は均等で、且つ頂壁の幅は、前記底壁の幅より大きく、両側壁は左右に設置し、前記底壁と前記頂壁との間に連接し、前記各側壁の幅は、下から上へと徐々に大きくなり、且つ前記底壁、頂壁及び両側壁の外側端面は、同一平面上に位置し、
前記頂壁の外表面中央部位置には、ハンドルを設置することを特徴とする中央ハンドルを有するキャリーバー付きスーツケース。
【請求項２】
前記蓋体と前記台体との間は、ファスナーにより連接されることを特徴とする請求項１に記載の中央ハンドルを有するキャリーバー付きスーツケース。
【請求項３】
前記蓋体上には、第一アルミフレームを設置し、
前記台体上には、第二アルミフレームを設置し、
前記蓋体と前記台体との間は、前記第一アルミフレームと前記第二アルミフレームが嵌合し連接されることを特徴とする請求項１に記載の中央ハンドルを有するキャリーバー付きスーツケース。
【考案の詳細な説明】
【技術分野】
【０００１】
本考案はキャリーバー付きスーツケースに関し、特に中央ハンドルを有するキャリーバー付きスーツケースに関する。
【背景技術】
【０００２】
現代人にとってキャリーバー付きスーツケースは外出や旅行の際の必需品である。
外出や旅行で用いる日用品をスーツケースの中に入れ、キャリーバーを引いて動かせば、スーツケースを携帯しながら楽に移動することができ、移動、携帯に便利なキャリーバー付きスーツケースは、人気が高い。
【０００３】
従来のキャリーバー付きスーツケースは、ケース体、キャリーバーを有する。
ケース体は、台体、蓋体を有する。
台体と蓋体とは、対称で均等に分布し、台体と蓋体の間はファスナーにより連接される。
ファスナーと台体及びファスナーと蓋体とは、平行に設置され、キャリーバー及びハンドルは、台体上に設置される。
台体の頂点部空間には限界があるが、ハンドルを設置する充分な空間を台体の頂点部に持たせるため、従来のキャリーバー付きスーツケースでは、台体頂点部の辺縁が外へと弧状に突出している。
【考案の概要】
【考案が解決しようとする課題】
【０００４】
従来のキャリーバー付きスーツケースは、弧状突出設計により、ハンドル設置の位置を確保しているが、この弧状突出により、ファスナーの引き動かしが困難になり、時間と労力を無題に費やし、且つ引っかかり現象が起き易くなり、使用において不便であるという欠点がある。
【課題を解決するための手段】
【０００５】
本考案は、台体頂点部空間が足りないため、ファスナーの引き動かしが困難になり、容易に引っかかるという従来の構造に存在する問題を効果的に解決でき、構造が簡単で、使用の便が高い中央ハンドルを有するキャリーバー付きスーツケースに関する。
【０００６】
本考案の一実施形態による中央ハンドルを有するキャリーバー付きスーツケースは、ケース体を有する。
該ケース体の底部には、ユニバーサルキャスターを設置する。
該ケース体は、台体及び蓋体を有する。
該台体の背面には、キャリーバーを設置する。
該蓋体と台体とは連接し、相互に開閉可能なように設置される。
該台体は、底壁、頂壁及び両側壁を有する。
該底壁の各位置の幅は均等で、該頂壁の各位置の幅は均等で、且つ頂壁の幅は、底壁の幅より大きい。
両側壁は左右に設置し、該底壁と該頂壁との間に連接し、各側壁の幅は下から上へと徐々に大きくなり、且つ該底壁、頂壁及び両側壁の外側端面は、同一平面上に位置する。
該頂壁の外表面中央部位置には、ハンドルを設置する。
【０００７】
最も好ましくは、該蓋体と該台体との間は、ファスナーにより連接される。
【０００８】
最も好ましくは、該ファスナーは、ダブルスライダーファスナーで、該ダブルスライダーファスナーは、２個のファスナースライダーを有する。
該ケース体上には、２個のファスナースライダーをロックするロックを設置する。
【０００９】
最も好ましくは、該蓋体上には、第一アルミフレーム１を設置する。
該台体上には、第二アルミフレームを設置する。
該蓋体と該台体との間は、該第一アルミフレームと該第二アルミフレームが嵌合し連接される。
【００１０】
本考案の実施形態を応用する特徴の一つは、底壁の各位置の幅は均等で、頂壁の各位置の幅は均等で、且つ頂壁の幅は、底壁の幅より大きく、各側壁の幅は下から上へと徐々に大きくなり、底壁、頂壁及び両側壁の外側端面は、同一平面上に位置する。
こうして、ハンドルを設置する充分な空間が生まれ、且つハンドルは頂壁の外表面中央部位置上に設置され、台体頂点部空間が足りないため、ファスナーの引き動かしが困難になり、容易に引っかかるという従来の構造に存在する問題を効果的に解決でき、且つ本考案は構造が簡単で、使用において便利で快適であり、時間と労力を節減することができる。
【図面の簡単な説明】
【００１１】
【図１】本考案の第一実施形態の立体構造模式図である。
【図２】本本考案の第一実施形態の正視図である。
【図３】本考案の第二実施形態の立体構造模式図である。
【図４】本考案の第二実施形態の正視図である。
【考案を実施するための形態】
【００１２】
（一実施形態）
図１及び図２に示すとおり、本考案の実施形態による中央ハンドルを有するキャリーバー付きスーツケースの第一実施形態は、ケース体１０を有する。
【００１３】
ケース体１０の底部には、ユニバーサルキャスター１１を設置し、ケース体１０上には、ロック１２を設置する。
【００１４】
ケース体１０は、台体１３及び蓋体１４を有する。
台体１３の背面には、キャリーバー１５を設置する。
台体１３は、底壁１３１、頂壁１３２及び両側壁１３３を有する。
底壁１３１の各位置の幅は均等で、頂壁１３２の各位置の幅は均等で、且つ頂壁１３２の幅は、底壁１３１の幅より大きい。
両側壁１３３左右設置並連接於底壁１３１和頂壁１３２の間，各側壁１３３の幅は下から上へと徐々に大きくなり、且つ底壁１３１、頂壁１３２及び両側壁１３３の外側端面は、同一平面上に位置する。
頂壁１３２の外表面中央部位置には、ハンドル１６を設置する。
蓋体１３と台体１２とは連接し、相互に開閉可能なように設置される。
【００１５】
本実施形態では、蓋体１３と台体１２との間は、ファスナー２０により連接される。
ファスナー２０は、ダブルスライダーファスナーで、ダブルスライダーファスナーは、２個のファスナースライダー２１を有する。
２個のファスナースライダー２１とロック１２とは、ロックされて連接し、キャリーバー付きスーツケースの安全性を高めることができる。
【００１６】
図３及び図４に示すとおり、本考案第二実施形態の構造と第一実施形態の構造とは、基本的に相同であるが、その相違点を以下に記載する。
本実施形態では、蓋体１４上には、第一アルミフレーム１４１を設置し、対応して台体１３上には、第二アルミフレーム１３４を設置する。
第一アルミフレーム１４１と第二アルミフレーム１３４とは、相互に嵌合し、これにより蓋体１４と台体１３とは連接される。
【００１７】
上記を総合すると、本考案では、底壁の各位置の幅は均等で、頂壁の各位置の幅は均等で、且つ頂壁の幅は、底壁の幅より大きく、各側壁の幅は下から上へと徐々に大きくなり、底壁、頂壁及び両側壁の外側端面は、同一平面上に位置する。
こうして、ハンドルを設置する充分な空間が生まれ、且つハンドルは頂壁の外表面中央部位置上に設置され、台体頂点部空間が足りないため、ファスナーの引き動かしが困難になり、容易に引っかかるという従来の構造に存在する問題を効果的に解決できる。
且つ本考案は、構造が簡単で、使用において便利で快適であり、時間と労力を節減することができる。
【００１８】
前述した本考案の実施形態は本考案を限定するものではなく、よって、本考案により保護される範囲は後述される実用新案登録請求の範囲を基準とする。
【符号の説明】
【００１９】
１０    ケース体
１１    ユニバーサルキャスター
１２    ロック
１３    台体
１３１  底壁
１３２  頂壁
１３３  側壁
１３４  第二アルミフレーム
１４    蓋体
１４１  第一アルミフレーム
１５    キャリーバー
１６    ハンドル
２０    連接部材
２１    ファスナースライダー
【図１】
0003197777.tif 000003
【図２】
0003197777.tif 000004
【図３】
0003197777.tif 000005
【図４】
0003197777.tif 000006